(57)【要約】【課題】  斬新な照明効果が得られる宝飾品等の展示用ショーケースを提供することを目的とする。【解決手段】  光分散性を備えた導光板と、前記導光板の一側端面の近傍に配された光源と、前記導光板上、又は導光板の上方に配された光透過性板とを有するショーケースによる。【選択図】  図２
2006081646.tif 000002
【特許請求の範囲】
【請求項１】
光分散性を備えた導光板と、
前記導光板の一側端面の近傍に配された光源と、
前記導光板上、又は導光板の上方に配された光透過性板とを有し、
前記光源から照射された光を前記導光板を介して前記透過性板上の宝飾品や眼鏡などの物品を照明するショーケース。
【請求項２】
光分散性を備えた導光板と、
前記導光板の一側端面の近傍に配された光源と、
前記導光板上に配された第１の光透過性板と、
前記第１の光透過性板の上方に配された第２の光透過性板と、
前記第２の光透過性板を前後に移動可能に支持する支持部とを有し、
前記光源から照射された光を前記導光板および第１の光透過性板を介して前記第２の透過性板上の宝飾品や眼鏡などの物品を照明するショーケース。
【請求項３】
前記導光板中に光分散用の微粒子を含有していることを特徴とする請求項1又は２のいずれかに記載のショーケース。
【請求項４】
前記導光板の下面には反射膜が形成されているか、又は反射板が配されていることを特徴と請求項1乃至３のいずれかに記載のショーケース。
【発明の詳細な説明】
【技術分野】
【０００１】
本発明は、店頭において宝飾品や時計などを、展示、あるいは販売するためのショーケースに関する。
【背景技術】
【０００２】
宝石店や時計店に行くと、美しい宝飾品や時計がガラスで囲まれたショーケースの中に飾られている。特に、お客の注目を集めるために、ショーケースには、その店の品物を代表する最も重要な品物が展示されが、同じ品物でもどのように展示するかによって店の売り上げに大きく影響する。
【０００３】
その中でも、どのように照明するかは非常に重要な要素であって、照明の仕方によって品物の印象は大きく変わることが経験的にもよく知られている。
【０００４】
これまでのショーケースでは、例えば、矩形状のショーケースでは、その四つの隅に配置した光源から品物に光を当て、いずれの角度からも顧客が品物を見ることができるようにしている。このとき、光源の光が直接、お客の眼に入ると品物が見えにくいばかりか、眼にとっても良くないので、笠などで光源を覆ったりしている。あるいは、カクテル光線を照射する光源を使用して、光そのものの眩しさを低減している場合もある。
【発明の開示】
【発明が解決しようとする課題】
【０００５】
しかしながら、光源を笠で覆う場合、お客の視界には光源の笠が視界に入ることになり、品物の観察にとって邪魔になるという問題がある。また、カクテル光線を使用しても、眼に入ったときの光の眩しさ自体を解消することはできない。
【０００６】
本発明はこれらの問題を解決するとともに、これまでと全く異なる新規な照明効果が得られるショーケースを提供することを目的とする。
【課題を解決するための手段】
【０００７】
本願発明の宝飾品や眼鏡などの物品を照明する第１のショーケースは、光分散性を備えた導光板と、前記導光板の一側端面の近傍に配された光源と、前記導光板上、又は導光板の上方に配された光透過性板とを有することを特徴とする。
【０００８】
また、本願発明の宝飾品や眼鏡などの物品を照明する第２のショーケースは、光分散性を備えた導光板と、前記導光板の一側端面の近傍に配された光源と、前記導光板上に配された第１の光透過性板と、前記第１の光透過性板の上方に配された第２の光透過性板と、前記第２の光透過性板を前後に移動可能に支持するレール機構とを有することを特徴とする。
【０００９】
さらに、本願発明の宝飾品や眼鏡などの物品を照明する第３のショーケースは、導光板の下面に反射膜が形成されているか、又は反射板が配されていることを特徴とする。
【００１０】
上記の導光板は光分散用の微粒子を含有していることを特徴とする。
【発明の効果】
【００１１】
本願発明の宝飾品や眼鏡などの物品を照明する第１のショーケースによれば、導光板の一端面に入った光源の光は光分散性を備えた導光板の中を伝播していきながら、その伝播途中で光が分散されて導光板の上方へと出ていく。このため、導光板の上面全体が照明源となって、光透過性板の下方から照明する。これによって、光透過性板上に置かれた宝飾品や眼鏡などの物品は光透過性板の面の全体から照明を受けることになる。
【００１２】
なお、光透過性板を半透明にしたり、色彩を付けることにより、さらに特有の    照明効果を得ることができる。
【００１３】
また、本願発明の宝飾品や眼鏡などの物品を照明する第２のショーケースによれば、支持部により支持された第２の光透過性板が移動可能であるため、第２の光透過性板の上に置かれた物品の取替えが容易であるし、第２の光透過性板自体の取替えも容易となるので、第２の光透過性板の透明性や色彩を変えることにより、展示する物品に応じた種々の照明効果を得ることができる。
【００１４】
さらに、本願発明の宝飾品や眼鏡などの物品を照明する第３のショーケースによれば、導光板の下に反射膜を形成し、又は反射板を配しているので、導光板の下側に分散した光を上側に戻して光透過性板を照射すことができるので、光の利用効率を上げることができる。
【発明を実施するための最良の形態】
【００１５】
以下に、本発明の実施の形態について、添付図面を参照しながら詳細に説明する。
【００１６】
（第１の実施形態）
図１は、本発明の第１の実施形態に係る宝飾品や時計などを展示するショーケースの全体を示す概略斜視図であり、１は４本の支持脚２で支えられたショーケース基台、３はショーケース基台１の前方を覆うガラス板、４はショーケース基台１の上方を覆うガラス板である。宝飾品などは、このショーケースの中に収められて展示に供される。
【００１７】
図２は、図１のショーケースの縦側断面を示しており、図３は図２のA-A線における断面を示している。
【００１８】
５は円筒状の蛍光ランプであり、直接、お客の眼に触れることがないように、ショーケースの後端に設けられた蛍光ランプ取付け箱６の中に格納されている。７はアクリル製の導光板で、ショーケース内の面のほぼ全域を覆うように配されており、後側の端面は蛍光ランプ取付け箱６の中に嵌入して、蛍光ランプ５に面している。本実施形態に係る導光板７は、導光板中の全体にわたってビーズ８が拡布されており、図４に示すように、蛍光ランプ５から導光板７の後端面から入った光は、ビーズ８によって散乱しながら、前方に向かって進む。
【００１９】
また、導光板７の下には反射膜９が設けられている。これにより、ビーズ８によって下方に曲げられた光も上方に戻すことができるので、光を効率良く利用することができる。なお、反射膜９の代わりに、導光板７の下に反射板を置いても同様な効果を得ることができる。
【００２０】
１０は導光板７の上に載置された光透過性ガラス板であり、導光板７の保護のために設けているが、特に設けていなくてもよい。
【００２１】
１１はアクリル製の透明板であり、透明板１１の後部には取っ手１２を設けている。図３に示すように、この透明板１１の両側端が、ショーケース基台１に取り付けられた支持部１３の溝１４に嵌入しており、透明板１１はスライド可能に支持されている。これにより、取っ手１２を持って押したり、引いたりすると、透明板１１が前後に動くので、透明板１１に置いた品物を取り出したり、交換することが容易となる。取っ手を引いたときの状態を図５に示す。なお、透明板１１の代わりに半透明の板でもよく、使用目的に応じて、適宜、色彩や模様を施してもよいことは勿論である。
【００２２】
また、ショーケースには蓋１５が設けられており、蝶番１６を介して開閉することができ、閉めた蓋が不用意に開いたりしないように、磁石１７が設けられている。
【００２３】
以上のように、第１の実施形態のショーケースによれば、蛍光ランプ５から出た光が導光板７の後端面に入り、導光板７内を進行していく。そして、導光板７内のビーズ８にぶつかった光は上方へ、あるいは下方へと散乱する。下方へ散乱した光は、導光板７の下の反射膜９で反射され、再び導光板７を通って導光板７の外に出ていく。このようにして、導光板７の上面全体が一つの面光源となり、上方に向かって光が全体的に出て、ガラス板１０および透明板１１を透過して、透明板１１の上に載置された宝飾品を下方から照らすことになる。
【００２４】
このように、導光板７の上面全体から出た光によって、宝飾品は下側から照明を受けるので、これまでにない照明効果が得られ、宝飾品の良さが一層引き立つものとなる。
【００２５】
（第２の実施形態）
次に、ガラス板で覆われていない開放型の第２の実施形態に係るショーケースについて説明する。このような開放型のショーケースは眼鏡店などで使用することができる。図６は第２の実施形態に係るショーケースの縦側断面、図７は、図６におけるB-B線での断面図を示している。
【００２６】
１８はショーケースの基台、１９はビーズ入りアクリル製の導光板、２０は導光板１９の上に置かれた透明板である。展示する物品はこの透明板２０の上に置かれる。なお、透明板２０を取り除いて、直接、導光板１９の上に物品を置くようにしてもよいが、アクリル製導光板は傷がつき易いので、ガラス板材の透明板２０で導光板１９を覆うことが望ましい。
【００２７】
また、導光板１９の下面には反射板２１が置かれている。これにより、第１の実施形態で説明したように、ビーズによって下方に分散した光を反射により上方に戻すことができる。
【００２８】
なお２２は円筒型の蛍光ランプであり、第１の実施の形態と同様に導光板１９の端面の近傍に置かれる。
【００２９】
このように、第２の実施形態のショーケースによれば、蛍光ランプ２２から出た光が導光板１９の後側の端面に入り、導光板１９内を前方に向かって進行し、導光板１９内のビーズにぶつかった光は上方へ、あるいは下方へと散乱する。下方へ散乱した光は、導光板１９の下の反射板２１で反射され、再び導光板１９を通って導光板１９の外に出ていく。このようにして、導光板１９の上面の全体が一つの光源となって、上方に向かって光が出ていき、透明板２０の上に載置された時計や眼鏡なのどの物品を下方から照らす。
【図面の簡単な説明】
【００３０】
【図１】本発明の実施形態に係るショーケースの概略斜視図である。
【図２】本発明の第１の実施形態に係るショーケースの縦側断面図である。
【図３】図２におけるA-A線の断面図である。
【図４】本発明の第１の実施形態に係るショーケースの光の伝播を説明する図である。
【図５】本発明の第１の実施形態に係るショーケースの動作を説明する図である。
【図６】本発明の第２の実施形態に係るショーケースの縦側断面図である。
【図７】図６におけるB-B線の断面図である。
【符号の説明】
【００３１】
１・・・ショーケース基台、
２・・・支持脚、
３・・・前方のガラス板、
４・・・上方のガラス板、
５・・・円筒状の蛍光ランプ、
６・・・蛍光ランプ取付け箱、
７・・・導光板、
８・・・ビーズ、
９・・・反射板、
１０・・・ガラス板、
１１・・・透明板、
１２・・・取っ手、
１３・・・支持部、
１４・・・溝、
１５・・・蓋、
１６・・・蝶番、
１７・・・磁石、
１８・・・ショーケースの基台、
１９・・・導光板、
２０・・・透明板、
２１・・・反射板、
２２・・・蛍光ランプ。
【図１】
2006081646.tif 000003
【図２】
2006081646.tif 000004
【図３】
2006081646.tif 000005
【図４】
2006081646.tif 000006
【図５】
2006081646.tif 000007
【図６】
2006081646.tif 000008
【図７】
2006081646.tif 000009